【手続補正書】
【提出日】平成30年4月13日(2018.4.13)
【手続補正１】
【補正対象書類名】特許請求の範囲
【補正対象項目名】全文
【補正方法】変更
【補正の内容】
【特許請求の範囲】
【請求項１】
システムであって、
ＲＭＳ電圧、ＲＭＳ電流、有効、無効、及び皮相電力、力率、変位力率、位相角、高調波マグニチュード及び位相、次数間高調波、ＩＦＬ、Ｐｓｔ及びＰｌｔフリッカー、対称成分、位相ベクトル、集約トリガ波形、及び過渡電流のうちの少なくとも１つを含む電力品質データを継続的に測定してバッファに入れるように構成され、かつ該バッファに入れた電力品質データを圧縮し送信するように構成された複数の電力品質デバイスと、
前記複数の電力品質デバイスに通信的に結合された１又は２以上のクラウドベースのサーバと、を含み、
前記１又は２以上のクラウドベースのサーバは、
前記複数の電力品質デバイスによって送信された前記バッファに入れられた電力品質データを受信し、
前記バッファに入れられた電力品質データを解凍してデータベース又はファイルシステムに格納し、
前記格納されたデータを用いて生成された帯グラフ、日間プロファイル、ヒストグラム、波形、ベクトル図、高調波棒グラフ、及び３Ｄ高調波グラフのうちの１又は２以上をウェブページ上に表示する、
ように作動可能である、ことを特徴とするシステム。
【請求項２】
前記１又は２以上のクラウドベースのサーバは、前記格納された電力品質データをデシメートするように更に構成され、
前記電力品質データは、高調波マグニチュード、総高調波歪み、Ｐｓｔ及びＰｌｔフリッカー、トリガ波形のうちの少なくとも１つを含むことを特徴とする請求項１に記載のシステム。
【請求項３】
前記１又は２以上のクラウドベースのサーバは、前記複数の電力品質デバイスのうちの１又は複数から警報を受信するのに応答してユーザに少なくとも１つの電子メール又はＳＭＳメッセージを送信するように更に構成されていることを特徴とする請求項１に記載のシステム。
【請求項４】
前記１又は２以上のクラウドベースのサーバは、前記複数の電力品質デバイスのうちの１又は複数からトリガ条件を受信するのに応答してユーザに少なくとも１つの電子メール又はＳＭＳメッセージを送信するように更に構成されていることを特徴とする請求項１に記載のシステム。
【請求項５】
前記１又は２以上のクラウドベースのサーバは、前記格納されたデータを用いて生成された前記帯グラフ、日間プロファイル、ヒストグラム、波形、ベクトル図、高調波棒グラフ、及び３Ｄ高調波グラフのうちの１又は２以上を提供する電子メールをユーザに送信するように更に構成されていることを特徴とする請求項１に記載のシステム。
【請求項６】
前記１又は２以上のクラウドベースのサーバは、前記電力品質デバイスの構成のためのインタフェースを前記ウェブページ上に表示するように更に構成されていることを特徴とする請求項１に記載のシステム。
【請求項７】
前記１又は２以上のクラウドベースのサーバは、前記複数の電力品質デバイスのうちの１又は複数の構成のための前記インタフェースでユーザ入力を受信するのに応答して該複数の電力品質デバイスのうちの１又は複数に変更されたデバイス構成を送信するように更に構成されていることを特徴とする請求項６に記載のシステム。
【請求項８】
前記複数の電力品質デバイスのうちの１又は複数は、前記バッファに入れられた電力品質データを約５分毎に送信するように構成されていることを特徴とする請求項１に記載のシステム。
【請求項９】
前記複数の電力品質デバイスのうちの１又は複数は、前記バッファに入れられた電力品質データを約１分毎に送信するように構成されていることを特徴とする請求項１に記載のシステム。
【請求項１０】
前記複数の電力品質デバイスのうちの１又は複数は、前記バッファに入れられた電力品質データを約１秒毎に送信するように構成されていることを特徴とする請求項１に記載のシステム。
【請求項１１】
ＲＭＳ電圧、ＲＭＳ電流、力率、変位力率、位相角、高調波マグニチュード及び位相、次数間高調波、ＩＦＬ、Ｐｓｔ及びＰｌｔフリッカー、対称成分、位相ベクトル、集約トリガ波形、及び過渡電流のうちの少なくとも１つを含む電力品質データを第１の電力品質デバイスから受信し、かつ約５分毎に送信する段階と、
前記第１の電力品質デバイスと第２の電力品質デバイスとの位置を示すマーカを含むマップをウェブページ上に表示する段階と、
前記ＲＭＳ電圧、前記ＲＭＳ電流、前記力率、前記変位力率、前記位相角、前記高調波マグニチュード及び位相、前記次数間高調波、前記ＩＦＬ、前記Ｐｓｔ及びＰｌｔフリッカー、前記対称成分、前記位相ベクトル、前記集約トリガ波形、及び前記過渡電流のうちの１又は２以上を示す少なくとも１つのチャート又はグラフを前記ウェブページ上に表示する段階と、
トリガされた条件警報を前記第１の電力品質デバイスから受信する段階と、
前記第２の電力品質デバイスから受信されたデータに基づいて少なくとも１つの関連事象を識別する段階と、
を含むことを特徴とするコンピュータ実行型方法。
【請求項１２】
前記電力品質データをデシメートして、デシメートされた電力品質データを生成する段階と、
前記第１の電力品質デバイスから受信された前記高調波マグニチュード、総高調波歪み、前記Ｐｓｔ及びＰｌｔフリッカー、及びトリガ波形のうちの１又は２以上を示す少なくとも１つのチャート又はグラフで前記デシメートされた電力品質データを前記ウェブページ上に表示する段階と、
前記第２の電力品質デバイスから受信された少なくとも一部のデータを前記ウェブページ上に表示する段階と、
を更に含むことを特徴とする請求項１１に記載のコンピュータ実行型方法。
【請求項１３】
前記第１の電力品質デバイスから前記トリガされた条件警報を受信するのに応答してユーザに電子メール又はＳＭＳメッセージを送る段階、
を更に含むことを特徴とする請求項１１に記載のコンピュータ実行型方法。
【請求項１４】
前記第１の電力品質デバイスから受信された前記高調波マグニチュード、総高調波歪み、前記Ｐｓｔ及びＰｌｔフリッカー、及びトリガ波形のうちの１又は２以上を示す少なくとも１つのチャート又はグラフを前記ウェブページ上に表示する段階を更に含み、
前記少なくとも１つのチャート又はグラフは、帯グラフ、日間プロファイル、ヒストグラム、波形、ベクトル図、高調波棒グラフ、又は３Ｄ高調波グラフを含むことを特徴とする請求項１１に記載のコンピュータ実行型方法。
【請求項１５】
前記第１の電力品質デバイスから受信された前記ＲＭＳ電圧、前記ＲＭＳ電流、前記力率、前記変位力率、前記位相角、前記高調波マグニチュード及び位相、前記次数間高調波、前記ＩＦＬ、前記Ｐｓｔ及びＰｌｔフリッカー、前記対称成分、前記位相ベクトル、前記集約トリガ波形、及び前記過渡電流のうちの前記少なくとも１つをデシメーション係数に基づいてデシメートする段階を更に含むことを特徴とする請求項１１に記載のコンピュータ実行型方法。
【請求項１６】
ある間隔にわたって前記第１の電力品質デバイスから受信された前記ＲＭＳ電圧、前記ＲＭＳ電流、前記力率、前記変位力率、前記位相角、前記高調波マグニチュード及び位相、前記次数間高調波、前記ＩＦＬ、前記Ｐｓｔ及びＰｌｔフリッカー、前記対称成分、前記位相ベクトル、前記集約トリガ波形、及び前記過渡電流のうちの前記少なくとも１つを平均化する段階を更に含むことを特徴とする請求項１１に記載のコンピュータ実行型方法。
【請求項１７】
前記間隔は、ユーザから受信されることを特徴とする請求項１６に記載のコンピュータ実行型方法。
【請求項１８】
前記少なくとも１つのチャート又はグラフは、前記間隔にわたって前記第１の電力品質デバイスから受信された前記ＲＭＳ電圧、前記ＲＭＳ電流、前記力率、前記変位力率、前記位相角、前記高調波マグニチュード及び位相、前記次数間高調波、前記ＩＦＬ、前記Ｐｓｔ及びＰｌｔフリッカー、前記対称成分、前記位相ベクトル、前記集約トリガ波形、及び前記過渡電流のうちの前記少なくとも１つの平均を示すことを特徴とする請求項１６に記載のコンピュータ実行型方法。
【請求項１９】
電力品質データを継続的に測定してバッファに入れるように構成され、かつ該バッファに入れた電力品質データを定期的に圧縮し送信するように構成された複数の電力品質デバイスと、
前記複数の電力品質デバイスに通信的に結合された１又は２以上のクラウドベースのサーバであって、
前記電力品質デバイスによって送信された前記バッファに入れられたデータを受信し、
前記バッファに入れられたデータを解凍してデータベースに格納し、
前記格納されたデータを用いて生成された帯グラフ、日間プロファイル、ヒストグラム、波形、ベクトル図、高調波棒グラフ、及び３Ｄ高調波グラフのうちの１又は２以上をウェブページ上に表示する、
ように構成された前記１又は２以上のクラウドベースのサーバと、
前記複数の電力品質デバイスと前記１又は２以上のクラウドベースのサーバとに通信的に結合され、かつ前記ウェブページへの少なくとも１つのユーザ入力を受信するように構成された１又は２以上のコンピュータデバイスと、
を含むことを特徴とするシステム。
【請求項２０】
前記１又は２以上のクラウドベースのサーバは、デシメートされた電力品質データを生成するために前記バッファに入れられたデータをデシメートするように構成されており、
前記１又は２以上のクラウドベースのサーバは、前記ウェブページへの前記少なくとも１つのユーザ入力に基づく前記１又は２以上の帯グラフ、日間プロファイル、ヒストグラム、波形、ベクトル図、高調波棒グラフ、及び３Ｄ高調波グラフに対する要求を受信するのに応答して、該帯グラフ、日間プロファイル、ヒストグラム、波形、ベクトル図、高調波棒グラフ、及び３Ｄ高調波グラフのうちの該１又は２以上を表示するように構成されたことを特徴とする請求項１９に記載のシステム。